(57)【特許請求の範囲】
【請求項１】
地面に対して立設される２枚の略矩形の壁面部材を備え、
２枚の前記壁面部材は、高さ方向に延びる辺が位置する幅方向における一方の端部側が回動端となるよう、高さ方向に延びる辺が位置する幅方向における他方の端部側で相互に回動可能に連結しており、２枚の前記壁面部材が相互に回動することで、それぞれの一方の面が、相互に対面する閉じた状態と、相互に所定の角度を成すよう開いた状態と、に変形するよう構成されており、
前記開いた状態で、前記壁面部材の間であって当該壁面部材の所定の高さ位置に、地面と略平行となる便座面を形成する板状の便座部材を備え、
前記便座部材は、２枚の便座用板状部材にて形成されており、一方の前記便座用板状部材は一方の前記壁面部材の前記一方の面に回動可能なよう連結しており、他方の前記便座用板状部材は他方の前記壁面部材の前記一方の面に回動可能なよう連結しており、
前記一方の便座用板状部材及び前記他方の便座用板状部材は、前記閉じた状態のときにそれぞれが連結している前記壁面部材と略平行となるよう前記壁面部材に対して回動し、前記開いた状態のときに前記壁面部材の所定の高さ位置に前記便座面が地面と略平行となるようそれぞれが連結している前記壁面部材に対して回動するように構成されている、
簡易トイレ。
【請求項２】
請求項１に記載の簡易トイレであって、
前記一方の便座用板状部材及び前記他方の便座用板状部材は、それぞれが連結している前記壁面部材側とは反対側で相互に回動可能なよう連結しており、前記閉じた状態のときに相互に略平行となるよう回動し、前記開いた状態のときに相互に略同一平面に位置して上面が前記便座面を形成するよう回動するように構成されている、
簡易トイレ。
【請求項３】
請求項２に記載の簡易トイレであって、
前記開いた状態のときに、前記一方の便座用板状部材の一部が、前記他方の便座用板状部材との連結箇所において当該他方の便座用板状部材の上方に重なって位置するよう構成されている、
簡易トイレ。
【請求項４】
請求項１乃至３のいずれかに記載の簡易トイレであって、
前記開いた状態のときに、前記便座部材にて形成された前記便座面は、前記壁面部材の高さ方向の中央位置よりも低い位置に位置している、
簡易トイレ。
【発明の詳細な説明】
【技術分野】
【０００１】
本発明は、簡易トイレに関する。
【背景技術】
【０００２】
地震や大雨、洪水などの自然災害が発生した際には、人々は指定された避難所に避難する必要がある。避難所は、例えば、学校の体育館や公民館など施設が使用されるが、これらの施設は、宿泊用ではないため、大勢の人数の宿泊に適切に対応することができない。このため、避難所ではトイレが不足することが多々ある。
【０００３】
一方で、上述したような状況に対応すべく、特許文献１，２に示すような簡易トイレが提案されている。例えば、特許文献１，２に示す簡易トイレは、人物が着座できるような高さに支持された便座部を備えて構成されている。
【先行技術文献】
【特許文献】
【０００４】
【特許文献１】特開２０２０−１０９４４号公報
【特許文献２】特開２０２０−４３８８９号公報
【発明の概要】
【発明が解決しようとする課題】
【０００５】
しかしながら、上述した特許文献１，２に示す簡易トイレは、利用者が着座する便座部しか設けられていないため、利用者が周囲から見られないような場所で使用する必要がある。その結果、利用場所が制限され、利便性に欠けるという問題が生じる。
【０００６】
このため、本発明の目的は、上述した課題である、利用場所が制限され、利便性に欠ける、という問題を解決することができる、簡易トイレを提供することにある。
【課題を解決するための手段】
【０００７】
本発明の一形態である簡易トイレは、
地面に対して立設される２枚の略矩形の壁面部材を備え、
２枚の前記壁面部材は、高さ方向に延びる辺が位置する幅方向における一方の端部側が回動端となるよう、高さ方向に延びる辺が位置する幅方向における他方の端部側で相互に回動可能に連結しており、２枚の前記壁面部材が相互に回動することで、それぞれの一方の面が、相互に対面する閉じた状態と、相互に所定の角度を成すよう開いた状態と、に変形するよう構成されており、
前記開いた状態で、当該壁面部材の間であって当該壁面部材の所定の高さ位置に、地面と略平行となる便座面を形成する板状の便座部材を備えた、
という構成をとる。
【０００８】
そして、上記簡易トイレでは、
請求項１に記載の簡易トイレであって、
前記便座部材は、前記壁面部材の前記一方の面に回動可能なよう連結しており、前記閉じた状態のときに前記壁面部材と略平行となるよう前記壁面部材に対して回動し、前記開いた状態のときに前記壁面部材の所定の高さ位置に前記便座面が地面と略平行となるよう前記壁面部材に対して回動するように構成されている、
という構成をとる。
【０００９】
また、上記簡易トイレでは、
前記便座部材は、２枚の便座用板状部材にて形成されており、一方の前記便座用板状部材は一方の前記壁面部材の前記一方の面に回動可能なよう連結しており、他方の前記便座用板状部材は他方の前記壁面部材の前記一方の面に回動可能なよう連結しており、
前記一方の便座用板状部材及び前記他方の便座用板状部材は、前記閉じた状態のときにそれぞれが連結している前記壁面部材と略平行となるようそれぞれが連結して前記壁面部材に対して回動し、前記開いた状態のときに前記壁面部材の所定の高さ位置に前記便座面が地面と略平行となるようそれぞれが連結している前記壁面部材に対して回動するように構成されている、
という構成をとる。
【００１０】
また、上記簡易トイレでは、
前記一方の便座用板状部材及び前記他方の便座用板状部材は、それぞれが連結している前記壁面部材側とは反対側で相互に回動可能なよう連結しており、前記閉じた状態のときに相互に略平行となるよう回動し、前記開いた状態のときに相互に略同一平面に位置して上面が前記便座面を形成するよう回動するように構成されている、
という構成をとる。
【００１１】
また、上記簡易トイレでは、
前記開いた状態のときに、前記一方の便座用板状部材の一部が、前記他方の便座用板状部材との連結箇所において当該他方の便座用板状部材の上方に重なって位置するよう構成されている、
という構成をとる。
【００１２】
また、上記簡易トイレでは、
前記開いた状態のときに、前記便座部材にて形成された前記便座面は、前記壁面部材の高さ方向の中央位置よりも低い位置に位置している、
という構成をとる。
【発明の効果】
【００１３】
本発明は、以上のように構成されることにより、利用場所が制限されず、利便性の高い簡易トイレを提供することができる。
【図面の簡単な説明】
【００１４】
【図１】本発明の第１の実施形態における簡易トイレの構成を示す図であり、簡易トイレを開いて使用するときの様子を示す図である。
【図２】図１に示す簡易トイレを使用するときの様子を示す図である。
【図３】図１に示す簡易トイレを折り畳むときの様子を示す図である。
【図４】図１に示す簡易トイレを折り畳むときの様子を示す図である。
【図５】図１に示す簡易トイレを折り畳んだ状態を示す図である。
【図６】図１に示す簡易トイレを折り畳んだ状態を示す図である。
【発明を実施するための形態】
【００１５】
＜実施形態１＞
本発明の第１の実施形態を、図１乃至図６を参照して説明する。図１乃至図６は、簡易トイレの構成を示す図であり、特に、図１乃至図２は、簡易トイレを使用するときの様子を示し、図３乃至図６は、簡易トイレを使用せず折り畳むときの様子を示す図である。
【００１６】
［構成］
図１に示すように、簡易トイレは、地面に対して立設される、２枚の所定の厚みを有する略矩形の壁面部材１０，２０を備えている。特に、本実施形態では、２枚の壁面部材１０，２０は、高さ方向に長辺が位置し、上端と下端に短辺が位置する、同一形状の略長方形に形成されている。そして、壁面部材１０，２０は、それぞれ一方の長辺が位置する幅方向（水平方向）における一方の端部側（図１の紙面手前側）が回動端となり、それぞれ他方の長辺が位置する幅方向（水平方向）における他方の端部側（図１の紙面奥側）が相互に回動可能なよう連結している。具体的に、壁面部材１０，２０は、それぞれ他方の長辺側が、高さ方向に延びる背面部材３０に対して、それぞれが回動可能なよう連結しており、これにより、背面部材３０を中心として、２枚の壁面部材２０が相互に折り畳み可能なよう回動するように連結されていることとなる。つまり、２枚の壁面部材１０，２０は、図５に示すように、各壁面部材１０，２０のそれぞれの一方の面である内面１０ａ，２０ａが相互に対面するよう折り畳まれた閉じた状態と、図１に示すように、各壁面部材１０，２０のそれぞれの内面１０ａ，２０ａが相互に所定の角度（例えば、９０度）を成すよう開いた状態と、に変形するよう構成されている。なお、図３及び図４は、図１に示す壁面部材１０，２０が開いた状態と、図５に示すよう壁面部材１０，２０が完全に閉じた状態と、に変化するよう、壁面部材１０，２０を徐々に回動させて様子を示している。
【００１７】
なお、図６は、壁面部材１０，２０が閉じた状態の簡易トイレの背面部材３０側の構成を示している。この図に示すように、背面部材３０の外表面には、取っ手３１が設けられており、かかる取っ手３１を把持して人間が簡易トイレを持ち運ぶことができる。
【００１８】
また、簡易トイレは、上述した各壁面部材１０，２０の内面１０ａ，２０ａ側に、図１に示す２枚の壁面部材１０，２０が開いた状態において、当該所定の角度を成す２枚の壁面部材１０，２０の間に挟まれて位置し、地面と略平行となる便座面を形成する板状の便座部材４１，４２を備えている。便座部材４１，４２は、図１に示すように、壁面部材１０，２０の高さ方向において中央位置よりも下端側に位置する高さ位置に配置されることで、人物が座りやすい高さに配置されることとなり、かつ、人物の背後に位置する壁面部材１０，２０が目隠しとなる。そして、壁面部材１０，２０が開いた状態における便座部材４１，４２の上面は、便座面を形成することとなる。
【００１９】
ここで、便座部材４１，４２の中央には、上下方向に貫通する大きな穴部Ｈが形成されている。また、便座部材４１，４２の穴部Ｈの周囲には、上下方向に貫通する複数の係止穴ｈが形成されている。穴部Ｈは、便座部材４１，４２の便座面に着座した際に人物の臀部が位置することとなり、排泄物が下方に排泄される箇所となる。このため、穴部Ｈには、図２に示すように、排泄物を収容する袋体Ｂが設置されることとなる。このとき、袋体Ｂは、開口部が穴部Ｈに対応して位置する配置され、かかる開口部の周囲の一部が複数の係止穴ｈに挿入されることで、袋体Ｂを穴部Ｈに係止することができる。
【００２０】
上記便座部材４１，４２は、図１に示すように、２枚の便座用板状部材４１，４２にて形成されている。このとき、各便座用板状部材４１，４２は、それぞれ所定の厚みを有する略三角形状の板部材にて形成されており、第一の便座用板状部材４１（一方の便座用板状部材）の方が、第二の便座用板状部材４２（他方の便座用板状部材）よりも外形が大きく形成されている。そして、第一の便座用板状部材４１は第一の壁面部材１０の内面１０ａに連結しており、第二の便座用板状部材４２は第二の壁面部材２０の内面２０ａに連結している。
【００２１】
具体的に、第二の便座用板状部材４２は、図１に示すように、略三角形である外形を形成する外周のうちの一辺が、第二の壁面部材２０の内面２０ａの所定の高さ位置で水平方向に沿って、当該第二の壁面部材２０に対して回動可能なよう連結している。このため、第二の便座用板状部材４２は、図１に示す壁面部材１０，２０を開いた状態にするときには、便座面を形成するその板面が地面と略平行つまり壁面部材２０と略垂直となるよう当該壁面部材２０に対して回動する。また、第二の便座用板状部材４２は、図５に示す壁面部材１０，２０を閉じた状態にするときには、図３乃至図５に示すように、第二の壁面部材２０との連結箇所とは反対側に位置し、第一の壁面部材１０に向かって位置する外周の他の一辺に相当する回動端４２ａ側が徐々に上方に跳ね上がり、便座面を形成するその板面が第二の壁面部材２０と略平行つまり地面と略垂直となるよう、当該第二の壁面部材２０に対して回動する。なお、壁面部材１０，２０が開いた状態において、第二の便座用板状部材４２の上述した回動端４２ａは、第一の便座用板状部材４１と連結している。
【００２２】
そして、第一の便座用板状部材４１も、上述した第二の便座用板状部材４２とほぼ同様の構成をとっている。具体的に、第一の便座用板状部材４１は、図１に示すように、略三角形である外形を形成する外周のうちの一辺が、第一の壁面部材１０の内面１０ａの所定の高さ位置で水平方向に沿って、当該第一の壁面部材１０に対して回動可能なよう連結している。このため、第一の便座用板状部材４１は、図１に示す壁面部材１０，２０を開いた状態にするときには、便座面を形成するその板面が地面と略平行つまり第一の壁面部材１０と略垂直となるよう当該第一の壁面部材１０に対して回動する。また、第一の便座用板状部材４１は、図５に示す壁面部材１０，２０を閉じた状態にするときには、図３乃至図５に示すように、第一の壁面部材１０との連結箇所とは反対側に位置し、第二の壁面部材２０に向かって位置する外周の他の一辺に相当する回動端４１ａ側が徐々に上方に跳ね上がり、便座面を形成するその板面が第一の壁面部材１０と略平行つまり地面と略垂直となるよう、当該第一の壁面部材１０に対して回動する。
【００２３】
なお、壁面部材１０，２０が開いた状態において、第一の便座用板状部材４１の第一の壁面部材１０との連結箇所とは反対側に位置する上述した回動端４１ａ，４１ｂは、第二の便座用板状部材４２の第二の壁面部材２０との連結箇所とは反対側に位置する回動端４２ａと、相互に回動可能なよう連結している。但し、第一の便座用板状部材４１の第二の壁面部材２０に向かう端部は、図３の符号４１ａ，４１ｂに示すように２段に形成されており、開いた状態のときに下段に位置する端部４１ａが第二の便座用板状部材４２の端部４２ａと回動可能に連結している。これにより、図５に示すように壁面部材１０，２０が閉じた状態のときには、第一の便座用板状部材４１と第二の便座用板状部材４２との連結箇所が回動し、第一の便座用板状部材４１と第二の便座用板状部材４２とが相互に略平行に位置することとなる。
【００２４】
また、図３に示すように、第一の便座用板状部材４１の第二の壁面部材２０に向かう端部の開いた状態のときに上段に位置する上段部分４１ｂは、下段部分４１ａよりもさらに第二の壁面部材２０に向かって延設している。このため、図１に示すように壁面部材１０，２０が開いた状態のときには、第一の便座用板状部材４１と第二の便座用板状部材４２との連結箇所が回動し、第一の便座用板状部材４１と第二の便座用板状部材４２とが相互に略同一平面に位置して上面が便座面を形成すると共に、第一の便座用板状部材４１の第二の壁面部材２０に向かう端部の上段部分４１ｂは、第二の便座用板状部材４２との連結箇所及びそれよりも第二の壁面部材２０側において、当該第二の便座用板状部材４２の上方に重なって位置することとなる。
【００２５】
［動作］
次に、上述した簡易トイレの動作を説明する。まず、簡易トイレを使用するときの動作を説明する。まず、図６や図５に示すように壁面部材１０，２０が閉じた状態の簡易トイレを設置場所まで運ぶ。そして、設置場所において、壁面部材１０の長手方向が高さ方向に位置するよう簡易トイレ配置して、２枚の壁面部材１０，２０を開く。すると、図５に示す壁面部材１０，２０が閉じた状態から、図４及び図３に示すように壁面部材１０，２０が徐々に開くことで、第一の便座用板状部材４１及び第二の便座用板状部材４２がそれぞれ第一の壁面部材１０及び第二の壁面部材２０に対してそれぞれ回動し、併せて、それぞれ壁面部材１０，２０との連結箇所とは反対側の端部４１ａ，４２ａで相互に連結された第一の便座用板状部材４１及び第二の便座用板状部材４２の相互間も回動する。そして、図１に示すように壁面部材１０，２０が完全に開いた状態となると、第一の便座用板状部材４１及び第二の便座用板状部材４２が略同一平面に位置して、これらの上面が便座面を形成することとなる。
【００２６】
その後、図２に示すように、便座面に形成された穴部Ｈに袋体Ｂを配置することで、簡易トイレとして利用することができる。このとき、２枚の壁面部材１０，２０が目隠しとなり、利用者が外部から視認されることを抑制することができる。このため、本発明の簡易トイレは、利用場所が制限されることなく、利便性が極めて高いと言える。
【００２７】
次に、上述したように簡易トイレを利用した後に片づけるときの動作を説明する。まず、図２に示すように便座面に配置された袋体Ｂを取り外して、袋体Ｂの開口部を縛って塞ぐといった処理を行う。その後、図１に示すように壁面部材１０が開いた状態から、図３及び図４に示すように壁面部材１０，２０を徐々に閉じることで、第一の便座用板状部材４１及び第二の便座用板状部材４２がそれぞれ第一の壁面部材１０及び第二の壁面部材２０に対してそれぞれ回動し、併せて、それぞれ壁面部材１０，２０との連結箇所とは反対側の端部４１ａ，４２ａで相互に連結された第一の便座用板状部材４１及び第二の便座用板状部材４２の相互間も回動する。すると、第一の便座用板状部材４１及び第二の便座用板状部材４２の相互に連結された端部４１ａ，４２ａが徐々に上方に跳ね上がり、図５に示すように壁面部材１０，２０が完全に閉じた状態となると、第一の便座用板状部材４１及び第二の便座用板状部材４２が第一の壁面部材１０及び第二の壁面部材２０に対して略平行に位置することとなる。このように簡易トイレを折り畳むことで、図５及び図６に示すように、小型化して収納することができる。
【００２８】
なお、本発明における簡易トイレは、上述した構成や形状に限定されない。例えば、上記では、壁面部材１０，２０の形状が略長方形であるとして説明したが、必ずしも長方形であることに限定されず、略矩形であってもよく、いかなる形状であってもよい。また、便座用板状部材の形状も、略三角形状であることに限定されず、いかなる形状であってもよい。
【００２９】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００３０】
１０，２０  壁面部材
１０ａ，２０ａ  内面
３０  背面部材
３１  取っ手
４１，４２  便座部材、便座用板状部材
Ｈ  穴部
ｈ  係止穴
Ｂ  袋体
【要約】
【課題】利用場所が制限されず、利便性の高い簡易トイレを提供すること。
【解決手段】本発明の簡易トイレは、地面に対して立設される２枚の略矩形の壁面部材１０，２０を備え、２枚の壁面部材１０，２０は、高さ方向に延びる辺が位置する幅方向における一方の端部側が回動端となるよう、高さ方向に延びる辺が位置する幅方向における他方の端部側で相互に回動可能に連結しており、２枚の壁面部材１０，２０が相互に回動することで、それぞれの一方の面が、相互に対面する閉じた状態と、相互に所定の角度を成すよう開いた状態と、に変形するよう構成されており、２枚の壁面部材１０，２０が開いた状態で、壁面部材１０，２０の間であって壁面部材１０，２０の所定の高さ位置に、地面と略平行となる便座面を形成する板状の便座部材４１，４２を備える。
【選択図】図１【図１】
0006817670.tif 000002
【図２】
0006817670.tif 000003
【図３】
0006817670.tif 000004
【図４】
0006817670.tif 000005
【図５】
0006817670.tif 000006
【図６】
0006817670.tif 000007